(57)【要約】      （修正有）【課題】絶縁本体に設けた端子をフレキシブルフラットケーブルの接点に圧接させて強化構造を達成し電気的接触性、位置決め性を高め、ケーシング或いはその他の外接金属片とフレキシブルフラットケーブルの間の接地変化構造にした電気コネクタを提供する。【解決手段】嵌合部１１を具え複数の端子１４が設けられ、各端子が接触部と弾性部を具え、該接触部が該嵌合部上に保持された絶縁本体と、該絶縁本体上に組み合わされるカバー３０と、末端の一面に複数の接点２１が設けられ、該カバーにより該絶縁本体上の圧接されて該接点と該端子が接触させられるフレキシブルフラットケーブル２０と、該カバー上方を被覆し並びに絶縁本体と相互に固定され、カバーを圧接して該接点と該端子の弾性部１４２を十分に接触させるケーシング４０と、を包含する。【選択図】図５
0003137685.tif 000002
【実用新案登録請求の範囲】
【請求項１】
電気コネクタにおいて、
絶縁本体であって、嵌合部を具え、複数の端子が配列され、各端子が接触部と弾性部を具え、該接触部が該嵌合部上に保持された、上記絶縁本体と、
該絶縁本体上に組み合わされるカバーと、
フレキシブルフラットケーブルであって、その一端に複数の接点が設けられ、該カバーが該フレキシブルフラットケーブルの上方より圧接されて、これらの接点と該端子の弾性部との間に接触が形成される、上記フレキシブルフラットケーブルと、
ケーシングであって、該カバーを覆うように該絶縁本体と相互に固定され、該カバーを圧迫して該接点を該端子の弾性部に安定に接触させる、上記ケーシングと、
を包含したことを特徴とする電気コネクタ。
【請求項２】
前記フレキシブルフラットケーブルの接点と反対の一面に更に金属層が設けられたことを特徴とする請求項１に記載の電気コネクタ。
【請求項３】
前記カバーに少なくとも一つの切欠きが設けられ、且つ該ケーシングに少なくとも一つの弾性片が設けられ、該弾性片が該切欠きを通過するとともに該フレキシブルフレキシブルフラットケーブルの金属層と接触することを特徴とする請求項２に記載の電気コネクタ。
【請求項４】
前記絶縁本体に複数の下固定孔が設けられ、且つ該下固定孔に対応するように、該カバーに複数の上固定孔が設けられ、該ケーシングに複数の固定片が設けられ、該固定片が該上固定孔と該下固定孔を通過することにより、該ケーシングと該絶縁本体とを固定することを特徴とする請求項１に記載の電気コネクタ。
【請求項５】
前記絶縁本体の両側に更にロック機構が設けられ、該ロック機構は放置座、操作部及びロック棒を包含することを特徴とする請求項１に記載の電気コネクタ。
【請求項６】
電気コネクタにおいて、
絶縁本体であって、嵌合部を具え、複数の端子が配列され、各端子が接触部と弾性部を具え、該接触部が該嵌合部上に保持された、上記絶縁本体と、
該絶縁本体上に組み合わされるカバーと、
フレキシブルフラットケーブルであって、その一端に複数の接点が設けられ、該フレキシブルフラットケーブルの接点が該複数の端子の弾性部に対応し接触して電気的接触を形成する、上記フレキシブルフラットケーブルと、
ケーシングであって、該絶縁本体に組み合わされて、該フレキシブルフラットケーブルを固定して離脱防止する、上記ケーシングと、
を包含したことを特徴とする電気コネクタ。
【請求項７】
電気コネクタにおいて、
複数の端子が設けられた絶縁本体と、
該絶縁本体の上方に組み合わされるカバーと、
フレキシブルフラットケーブルであって、末端に複数の接点が設けられ、該カバーが該フレキシブルフラットケーブルの上方に圧接されてこれらの接点を該端子に接触させ、該フレキシブルフラットケーブルに金属層が設けられた、上記フレキシブルフラットケーブルと、
ケーシングであって、該カバーを覆うように該絶縁本体と相互に固定され、該カバーを押圧して該フレキシブルフラットケーブルの接点を該端子に安定に接触させる、上記ケーシングと、
下金属片であって、該絶縁本体の下方に取り付けられ、該下金属片に少なくとも一つの弾性片が形成され、該弾性片が該フレキシブルフラットケーブルの金属層と接触する、上記下金属片と、
を包含したことを特徴とする、電気コネクタ。
【請求項８】
前記絶縁本体が嵌合部を具え、各端子が接触部と弾性部を具え、該接触部が該嵌合部に保持されることを特徴とする請求項７に記載の電気コネクタ。
【請求項９】
前記フレキシブルフラットケーブルの接点が該端子の弾性部に接触することを特徴とする請求項８に記載の電気コネクタ。
【請求項１０】
前記下金属片が該ケーシングと接触することを特徴とする請求項７に記載の電気コネクタ。
【考案の詳細な説明】
【技術分野】
【０００１】
本考案は一種の電気コネクタに係り、特に、構造が強化され、電気的接触性、位置決め性が良好であると共に、多種類の異なるフレキシブルフラットケーブルを組合せ可能である電気コネクタ構造に関する。
【背景技術】
【０００２】
現在、液晶ディスプレイとマザーボードの間に使用される信号伝送インタフェースとして、超高速、低消費電力、及び低電磁輻射特性の低電圧差分信号受信器（ＬＶＤＳ：Ｌｏｗ  Ｖｏｌｔａｇｅ  Ｄｉｆｆｅｒｅｎｔｉａｌ  Ｓｙｓｔｅｍ）が多く採用され、フレキシブルフラットケーブルを回路板に連結するのに用いられている。一般にフレキシブルフラットケーブル側のＬＶＤＳコネクタは、特許文献１に記載のフレキシブルフラットケーブル接続モジュールのように、フレキシブルフラットケーブルの一側に板状構造が取り付けられて、相手側のコネクタと嵌合される固定モジュールとされる。
【０００３】
【特許文献１】台湾特許出願第０９２１３０３７０号明細書
【考案の開示】
【考案が解決しようとする課題】
【０００４】
特許文献１に記載の構造には多くの長所があるが、実際の使用時には欠点もある。まず、フレキシブルフラットケーブルの接点が直接相手側のコネクタの端子に接触し、フレキシブルフラットケーブルの構造強度は比較的弱く、何度も反復して抜き差しされることで、接点が損壊しやすく、且つフレキシブルフラットケーブル接点の位置決めの正確度は比較的低く、高精度の接続を提供できず、また、接点数量及び位置を随意に変更することはできない。さらに、周知の構造には良好な接地構造がなく、全体の伝送システムが混雑する電磁波の影響を受けやすい。以上を鑑みると、周知のコネクタとフレキシブルフラットケーブルの組立構造を改良して、前述の欠点を克服することが必要である。
【課題を解決するための手段】
【０００５】
請求項１の考案は、電気コネクタにおいて、
絶縁本体であって、嵌合部を具え、複数の端子が配列され、各端子が接触部と弾性部を具え、該接触部が該嵌合部上に保持された、上記絶縁本体と、
該絶縁本体上に組み合わされるカバーと、
フレキシブルフラットケーブルであって、その一端に複数の接点が設けられ、該カバーが該フレキシブルフラットケーブルの上方より圧接されて、これらの接点と該端子の弾性部との間に接触が形成される、上記フレキシブルフラットケーブルと、
ケーシングであって、該カバーを覆うように該絶縁本体と相互に固定され、該カバーを圧迫して該接点を該端子の弾性部に安定に接触させる、上記ケーシングと、
を包含したことを特徴とする電気コネクタとしている。
請求項２の考案は、前記フレキシブルフラットケーブルの接点と反対の一面に更に金属層が設けられたことを特徴とする請求項１に記載の電気コネクタとしている。
請求項３の考案は、前記カバーに少なくとも一つの切欠きが設けられ、且つ該ケーシングに少なくとも一つの弾性片が設けられ、該弾性片が該切欠きを通過するとともに該フレキシブルフレキシブルフラットケーブルの金属層と接触することを特徴とする請求項２に記載の電気コネクタとしている。
請求項４の考案は、前記絶縁本体に複数の下固定孔が設けられ、且つ該下固定孔に対応するように、該カバーに複数の上固定孔が設けられ、該ケーシングに複数の固定片が設けられ、該固定片が該上固定孔と該下固定孔を通過することにより、該ケーシングと該絶縁本体とを固定することを特徴とする請求項１に記載の電気コネクタとしている。
請求項５の考案は、前記絶縁本体の両側に更にロック機構が設けられ、該ロック機構は放置座、操作部及びロック棒を包含することを特徴とする請求項１に記載の電気コネクタとしている。
請求項６の考案は、電気コネクタにおいて、
絶縁本体であって、嵌合部を具え、複数の端子が配列され、各端子が接触部と弾性部を具え、該接触部が該嵌合部上に保持された、上記絶縁本体と、
該絶縁本体上に組み合わされるカバーと、
フレキシブルフラットケーブルであって、その一端に複数の接点が設けられ、該フレキシブルフラットケーブルの接点が該複数の端子の弾性部に対応し接触して電気的接触を形成する、上記フレキシブルフラットケーブルと、
ケーシングであって、該絶縁本体に組み合わされて、該フレキシブルフラットケーブルを固定して離脱防止する、上記ケーシングと、
を包含したことを特徴とする電気コネクタとしている。
請求項７の考案は、電気コネクタにおいて、
複数の端子が設けられた絶縁本体と、
該絶縁本体の上方に組み合わされるカバーと、
フレキシブルフラットケーブルであって、末端に複数の接点が設けられ、該カバーが該フレキシブルフラットケーブルの上方に圧接されてこれらの接点を該端子に接触させ、該フレキシブルフラットケーブルに金属層が設けられた、上記フレキシブルフラットケーブルと、
ケーシングであって、該カバーを覆うように該絶縁本体と相互に固定され、該カバーを押圧して該フレキシブルフラットケーブルの接点を該端子に安定に接触させる、上記ケーシングと、
下金属片であって、該絶縁本体の下方に取り付けられ、該下金属片に少なくとも一つの弾性片が形成され、該弾性片が該フレキシブルフラットケーブルの金属層と接触する、上記下金属片と、
を包含したことを特徴とする、電気コネクタとしている。
請求項８の考案は、前記絶縁本体が嵌合部を具え、各端子が接触部と弾性部を具え、該接触部が該嵌合部に保持されることを特徴とする請求項７に記載の電気コネクタとしている。
請求項９の考案は、前記フレキシブルフラットケーブルの接点が該端子の弾性部に接触することを特徴とする請求項８に記載の電気コネクタとしている。
請求項１０の考案は、前記下金属片が該ケーシングと接触することを特徴とする請求項７に記載の電気コネクタとしている。
【考案の効果】
【０００６】
本考案の電気コネクタは、フレキシブルフラットケーブルと相手側コネクタの直接接触を防止して、フレキシブルフラットケーブルの接点の反復抜き差しによる損壊を防止することができる。
【０００７】
本考案の電気コネクタは、使用時に任意に端子の数量と位置を変更でき、伝送システムの実際の要求に符合させることができる。
【０００８】
本考案の電気コネクタは、異なる規格態様のフレキシブルフラットケーブルに適用可能で、製品価値を待ち使用範囲を拡大できる。
【考案を実施するための最良の形態】
【０００９】
本考案の電気コネクタは、嵌合部を具え複数の端子が設けられ、各端子が接触部と弾性部を具え、該接触部が該嵌合部上に保持された絶縁本体と、該絶縁本体上に組み合わされるカバーと、末端の一面に複数の接点が設けられ、該カバーにより該絶縁本体上の圧接されて該接点と該端子が接触させられるフレキシブルフラットケーブルと、該カバー上方を被覆し並びに絶縁本体と相互に固定され、カバーを圧接して該接点と該端子の弾性部を十分に接触させるケーシングと、を包含する。
【００１０】
本考案はまた別の態様において、複数の端子が設けられた絶縁本体と、該絶縁本体上に組み合わされるカバーと、末端の一面に複数の接点が設けられ並びに該カバーを利用して絶縁本体上に圧接されて、該接点が該端子の一端に接触させられ、少なくとも一面に金属層が設けられたフレキシブルフラットケーブルと、該カバーの上方を被覆し並びに該絶縁本体と相互に固定される、該カバーを圧接して該接点を該端子に十分に接触させるケーシングと、該絶縁本体に側方から組み付けられ、並びに該フレキシブルフラットケーブルの下方に位置決めされる下金属片と、を包含し、そのうち、該ケーシング或いは該下金属片に弾性片が形成され、該弾性片が該フレキシブルフラットケーブルの金属層と接触する。
【実施例１】
【００１１】
図１から図５は本考案の好ましい実施例の表示図である。本考案の電気コネクタは、絶縁本体１０、フレキシブルフラットケーブル２０、カバー３０、ケーシング４０で構成される。
【００１２】
該絶縁本体１０は、嵌合部１１を具え、該嵌合部１１は相手側のコネクタと相互に嵌合され並びに電気的に接続され、該絶縁本体１０の両側にそれぞれロック機構１２が設けられ、該ロック機構１２の内側に階段１３が設けられ、該階段１３上に複数の下固定孔１３１と一つの位置決めブロック１３２が設けられ、絶縁本体１０に別に複数の端子１４が嵌設され、各該端子１４はいずれも接触部１４１と弾性部１４２を具え、並びに該接触部１４１は該嵌合部１１の一側面上に露出している。
【００１３】
該フレキシブルフラットケーブル２０は、絶縁層で複数の導線が被覆されてなり、その末端の一面に露出する複数の接点２１が形成され、並びにこれら接点２１と反対の別の一面に金属層２２が形成されている。
【００１４】
該カバー３０は、上から下に絶縁本体１０の階段１３上に組み合わされ、その両側に下固定孔１３１に対応する上固定孔３１と、該位置決めブロック１３２に対応する凹溝３２が設けられ、これによりカバー３０が安定して絶縁本体１０に位置決めされ、また、カバー３０に更に少なくとも一つの切欠き３３が設けられ、該カバー３０はフレキシブルフラットケーブル３０に圧接されて、フレキシブルフラットケーブル２０の接点２１をしっかりと端子１４の弾性部１４２と接触させ、カバー３０を組み合わせる前に、先にフレキシブルフラットケーブル２０の接点２１と反対の一面をカバー３０に接着して一体に絶縁本体１０に組み合わせる。
【００１５】
該ケーシング４０は、金属製であり、該カバー３０の上方を被覆し並びに絶縁本体１０と相互に固定される。
【００１６】
図４及び図５に示されるように、ケーシング４０上に複数の固定片４１、少なくとも一つの弾性片４２及びリブ４３が設けられる。固定片４１は上固定孔３１と下固定孔１３１を通過し、さらに固定片４１の前端が折り曲げられ、これによりケーシング４０、カバー３０、及び絶縁本体１０が固定され、弾性片４２はカバー３０の切欠き３３を通過し並びにフレキシブルフラットケーブル２０の金属層２２と接触し、これによりこの電気コネクタアセンブリが安定した接地導通を達成可能とされ、リブ４３はカバー３０を押圧する力を強化するのに用いられて、接点２１と端子１４の弾性部１４２を十分に圧接する。
【００１７】
このほか、絶縁本体１０の両側に形成されたロック機構１２は、操作部１２１、放置座１２２及びロック棒１２３を包含し、ロック棒１２３は放置座１２２内に収容され、ロック棒１２３の固定点１２４は嵌合部１１の両側より突出し、且つロック棒１２３の凸部１２５が操作部１２１に対応する位置に位置し、使用者は操作部１２１を押すことで凸部１２５を駆動して固定点１２４を弾性移動させ、これにより相手側コネクタと固定と固定解除を形成させる。
【００１８】
本考案は構造強度、寸法精度が比較的良好な端子１４をフレキシブルフラットケーブルと相手側コネクタの間の導体として利用し、強度が比較的弱いフレキシブルフラットケーブル２１が反復する抜き差しにより損壊するのを防止し、且つ双方のコネクタの端子が相互に接触する時に正確な位置決め性を具備するようにしている。このほか、伝送システムの要求に変更があるとき、例えば、一部の電気的接点を除去する必要がある時、本考案の構造は随時一部の端子を除去してシステムの実際の需要に符合させることができ、周知の方式のフレキシブルフラットケーブルはこのように任意に接点を除去することはできなかった。
【００１９】
さらに、本考案はカバー３０を利用し、上から下にフレキシブルフラットケーブル２０を圧接する方式を以て、従来の引き抜き式の固定方式の代わりとしており、フレキシブルフラットケーブル２０の位置決めが更に正確に行え、脱出しにくく、且つ新たに取り出して交換するのも容易である。
【実施例２】
【００２０】
続いて本考案の第２実施例を説明する。第１実施例と比較すると、この実施例の目的は、異なる構造態様のフレキシブルフラットケーブルの組合せに適用可能な電気コネクタを提供することにある。図１，図６から図８に示されるように、電気コネクタアセンブリは、絶縁本体１０、フレキシブルフラットケーブル２０、カバー３０、ケーシング４０及び下金属片５０で構成される。絶縁本体１０は嵌合部１１を具え、該嵌合部１１は相手側のコネクタと相互に嵌合され並びに電気的に接続され、該絶縁本体１０の両側にそれぞれロック機構１２が設けられ、該ロック機構１２の内側に階段１３が設けられ、該階段１３上に複数の下固定孔１３１と一つの位置決めブロック１３２及び案内溝１３３が設けられ、絶縁本体１０に別に複数の端子１４が嵌設され、各該端子１４はいずれも接触部１４１と弾性部１４２を具え、並びに該接触部１４１は該嵌合部１１の一側面上に露出している。
【００２１】
該フレキシブルフラットケーブル２０は、絶縁層で複数の導線が被覆されてなり、その末端の一面に露出する複数の接点２１が形成され、並びに該フレキシブルフラットケーブル２０の任意の一面或いは両面に金属層２２が形成されている。
【００２２】
該カバー３０は、上から下に絶縁本体１０の階段１３上に組み合わされ、その両側に下固定孔１３１に対応する上固定孔３１と、該位置決めブロック１３２に対応する凹溝３２が設けられ、これによりカバー３０が安定して絶縁本体１０に位置決めされ、また、カバー３０に更に少なくとも一つの切欠き３３が設けられ、該カバー３０はフレキシブルフラットケーブル３０に圧接されて、フレキシブルフラットケーブル２０の接点２１をしっかりと端子１４の弾性部１４２と接触させ、カバー３０を組み合わせる前に、先にフレキシブルフラットケーブル２０の接点２１と反対の一面がカバー３０に接着され一体に絶縁本体１０に組み合わされる。
【００２３】
該ケーシング４０は金属製で、該カバー３０の上方を被覆し並びに絶縁本体１０と相互に固定され、該ケーシング４０に複数の固定片４１、弾性片４２及びリブ４３が設けられ、固定片４１は上固定孔３１と下固定孔１３１を通過し、さらに固定片４１の前端が折り曲げられ、これによりケーシング４０、カバー３０、及び絶縁本体１０が固定され、リブ４３はカバー３０を押圧する力を強化するのに用いられて、接点２１と端子１４の弾性部１４２を十分に圧接する、このほか、ケーシング４０の一部分は絶縁本体１０の嵌合部１１上まで延伸され得て、且つ端子１４の接触部１４１が配設された嵌合部１１の別の一面に対応する。
【００２４】
該下金属片５０は側方向より絶縁本体１０の案内溝１３３中に組み合わされ、下金属片５０がフレキシブルフラットケーブル２０の下方に位置決めされ、下金属片５０に少なくとも一つの、フレキシブルフラットケーブル２０に向けて突出する弾性片５１が形成され、該弾性片５１はフレキシブルフラットケーブル２０の金属層２２と接地接触を形成し、このほか該フレキシブルフラットケーブル２０の下方に設けられた下金属片５０はケーシング４０と必ず接触するものとされて、接地信号を順調にケーシング４０に導入させる。
【００２５】
この第２実施例によると、金属層２２がフレキシブルフラットケーブル２０の両面に設けられ、金属層２２はまたケーシング４０及び下金属片５０の弾性片４２、５１と同時に安定した接地接触を形成する。こうして、本考案の電気コネクタアセンブリは異なる構造態様を具備するフレキシブルフラットケーブル（金属層２２は任意の面に設けられ得る）に適用可能とされ、金属層２２の位置の変化により、コネクタの構造を変更する必要がない。
【実施例３】
【００２６】
更に、図９に示されるように、下金属片５０上に弾性片５１を形成するだけで、ケーシング４０上の弾性片４２を省略でき、これも本考案の一種の設計変化である。
【００２７】
総合すると本考案は確実に実用新案登録の要件に符合する。ただし、以上の説明は本考案の好ましい実施例に係るものであって、本考案の実施の範囲を限定するものではなく、本考案の実用新案登録請求の範囲に記載の形状、構造、特徴及び精神に基づきなし得る同等の変化と修飾は、いずれも本考案の実用新案登録請求の範囲に属するものとする。
【図面の簡単な説明】
【００２８】
【図１】本考案の第１実施例の立体分解図である。
【図２】本考案の第１実施例の上視立体図である。
【図３】本考案の第１実施例の下視立体図である。
【図４】本考案の第１実施例の組合せ前の断面図である。
【図５】本考案の第１実施例の組合せ後の断面図である。
【図６】本考案の第２実施例の立体分解図である。
【図７】本考案の第２実施例の上視立体図である。
【図８】本考案の第２実施例の下視立体図である。
【図９】本考案の第３実施例の立体分解図である。
【符号の説明】
【００２９】
１０  絶縁本体        １１  嵌合部
１２  ロック機構      １２１  操作部
１２２  放置座        １２３  ロック棒
１２４  固定点        １２５  凸部
１３  階段            １３１  下固定孔
１３２  位置決めブロック      １３３  案内溝
１４  端子                    １４１  接触部
１４２  弾性部
２０  フレキシブルフラットケーブル        ２１  接点
２２  金属層
３０  カバー                  ３１  上固定孔
３２  凹溝                    ３３  切欠き
４０  ケーシング              ４１  固定片
４２  弾性片                  ４３  リブ
５０  下金属片                ５１  弾性片
【図１】
0003137685.tif 000003
【図２】
0003137685.tif 000004
【図３】
0003137685.tif 000005
【図４】
0003137685.tif 000006
【図５】
0003137685.tif 000007
【図６】
0003137685.tif 000008
【図７】
0003137685.tif 000009
【図８】
0003137685.tif 000010
【図９】
0003137685.tif 000011